(57)【要約】【課題】消弧室ユニットの前面壁に開口したアークガス排気口を覆うように消弧室ユニットの前面に配した防護板の支持構造を改良してその支持機能を高め、併せてその組立工程の作業性改善が図れるようにした回路遮断器の消弧装置を提供する。【解決手段】回路遮断器の本体容器１のケース内部に固定／可動接触子の遮断部を包囲して消弧室ユニット５が配置され、該消弧室ユニット５の前面壁に開口したアークガス排気口５ｂを覆ってその前面に防護板６を布設してその取付基部を本体容器のケースに係合支持したものにおいて、防護板６の取付基部側に長手方向に延在する延長部６ｃを設けるとともに、該延長部６ｃの板面にはスリット状の係合溝６ｄを切欠き形成して固定接触子２の導体に掛け止めし、さらに延長部６ｃの先端側を本体容器１のケース内壁面と固定接触子２との間に挟み込んで挟持固定する。【選択図】図１
2014107093.tif 000002
【特許請求の範囲】
【請求項１】
本体容器のケース内部に固定／可動接触子の遮断部を包囲して消弧室ユニットが配置され、かつ該消弧室ユニットの前面壁に開口したアークガス排気口を覆って消弧室ユニットの前面に弁板構造になる防護板を布設してその取付基部の側縁に形成した係合片を本体容器のケースに係合支持したものにおいて、
前記防護板の取付基部側に長手方向に延在する延長部を設け、該延長部を本体容器のケース内に配置した固定接触子に係合した上で、さらに前記延長部を本体容器のケース内壁面と該ケース内壁面に沿って対峙延在する固定接触子との間に挟み込んで挟持固定したことを特徴とする回路遮断器の消弧装置。
【請求項２】
請求項１に記載の消弧装置において、防護板の延長部にはその幅方向にスリット状の係合溝を切欠き形成し、該係合溝に固定接触子を差し込んで防護板の延長部を固定接触子に掛け止め支持したことを特徴とする回路遮断器の消弧装置。
【発明の詳細な説明】
【技術分野】
【０００１】
本発明は、配線用遮断器，漏電遮断器を対象とする回路遮断器の消弧装置に関し、詳しくは消弧室ユニットの前面に開口したアークガス排出口を覆う防護板の取付構造に係わる。
【背景技術】
【０００２】
頭記の回路遮断器において、ケースとカバーとからなるモールド成形品の本体容器には電流遮断部を包囲して消弧室ユニットが搭載されており、該消弧室ユニットの前面壁には大電流の遮断時に消弧室内に発生したアークガスを外部に排出する排気口が開口している。また、この排気口の外面側に防護板を布設して、平常時に外方から塵埃，異物が消弧室内に侵入するのを防ぐようにしている(例えば、特許文献１参照)。この防護板は、ガラス繊維強化プラスチックなどの耐熱性，弾性を有する薄板で作られており、常時は消弧室ユニットの前面壁に重ね合わせて排気穴を覆い、大電流の遮断時に消弧室内に発生したアークガスのガス圧を受けると外側に湾曲して前記排気口を開き、アークガスを外方に排出する弁機能を備えている。
【０００３】
次に、回路遮断器に搭載した消弧室ユニット、および該消弧室ユニットの前面に配した防護板の従来における取付構造を図２（ａ），（ｂ）に示す。図２（ａ）において、１はケース１ａとカバー１ｂからなる回路遮断器の本体容器、２は固定接触子、３は固定接触子２の端部に接合してケース１ａの端子台に引き出した端子板、４は図示していない開閉機構の接触子ホルダーに保持して固定接触子２の接点２ａに対向配置した可動接触子、５は固定接触子２と可動接触子４からなる電流遮断部を包囲して本体容器１に組み込んだ消弧室ユニット、６は消弧室ユニット５の前面に布設した防護板である。
【０００４】
ここで、固定接触子２は導体を図示のような形状に屈曲成形してケース１ａの底部に配置され、その先端側に設けた接点２ａが消弧室ユニット５の内側に位置して可動接触子４に対向している。一方、消弧室ユニット５は左右側壁と前面壁からなる絶縁物のフレーム内部に可動接触子４の開極移動経路に沿って複数枚の消弧グリッド５ａを配設し、かつ前面壁には外方に通じるアークガスの排気口５ｂが開口しており、その外側に重ね合わせて防護板６が次記のように布設されている。
【０００５】
この防護板６は、図２（ｂ）で示すように前記のアークガス排気口５ｂを外側から覆う方形状の弁板部６ａの下部両側縁に係合片６ｂが張り出しており、次記のようにして回路遮断器の本体容器１に組み付けられる。すなわち、ケース１ａに固定接触子２、可動接触子４を搭載した開閉機構部を組み付けた状態で、ケース１ａに形成したスリット状溝に防護板６の前記係合片６ｂを差し込んで係合支持する。その後に本体容器１のケース１ａにカバー１ｂを被せ、この状態で防護板６の上端をカバー１ｂに形成した係合突起に係合して所定の位置に保持する。
【０００６】
上記の構成で、常時は防護板６が消弧室ユニット５の前面壁に開口したアークガス排気口５ｂを塞いでいて外方から塵埃，異物が消弧室内に侵入するのを防いでいる。一方、大電流の電流遮断時には消弧室内に生じたアークガス圧を受け、防護板６はその弁板部６ａが外側に湾曲してアークガス排気口５ａを開放してアークガスを外方に排出させる。
【０００７】
ところで、前記のように防護板６の下端部に形成した係合片６ｂを本体容器１の溝に差し込んで支持した取付構造では、大電流の遮断時に大きなガス圧を受けて係合片６ｂがケース１ａに形成した溝から抜け出し、防護板６が本体容器１の外側に吹き飛ばされることがあった。そのほか、図２に示した防護板６の取付構造では、固定接触子２の端部に接合した端子板３の後端面がそのまま消弧室の内方に位置しているため、大電流の遮断時に固定接触子２の接点２ａと可動接触子４との間に発生して消弧室内に伸長したアークが端子板３の後端面に直接吹きつけて内部短絡が発生し、これが原因で消弧室ユニットの変形、端子板周辺の絶縁壁損傷を誘発することがある。
【０００８】
そのほか、従来構造における防護板６の組立手順では、本体容器１のケース１ａに固定接触子２、可動接触子４の開閉機構、および消弧室ユニット５を組み込んだ後に防護板６を差し込んで取り付けるようにしているので、回路遮断器の組立工程で防護板６を付け忘れる作業ミスが生じ易くなる課題もある。
【０００９】
一方、上記したような防護板６の脱落を防止するために、前記した特許文献１では、防護板６の下端部を下方に延長し、その延長部を固定接触子２の上端部側に引き出した上で、固定接触子２とその背後に対峙する消弧室ユニット５のフレームとの間の隙間に挟み込んで防護板６の支持強化を図るようにした対策が施されている。
【先行技術文献】
【特許文献】
【００１０】
【特許文献１】特開平９−１２９０７４号公報
【発明の概要】
【発明が解決しようとする課題】
【００１１】
先記した特許文献１に開示されている防護板の取付構造は、図２と比べて防護板の支持力がかなり強化されるものの、短絡電流などの大電流遮断時に発生したアークガスにより高いガス圧を受けて消弧室ユニットのフレーム（樹脂製）が歪んだりすると、固定接触子と消弧室ユニットのフレームとの間に挟み込んだ防護板の延長部が、その挟み込み部から抜け出て防護板が本体容器から外方に脱落するおそれがある。
【００１２】
本発明は上記の点に鑑みなされたものであり、その目的は防護板の支持構造を更に改良してその支持機能を高め、併せてその組立工程の作業性改善が図れるようにした回路遮断器の消弧装置を提供することにある。
【課題を解決するための手段】
【００１３】
上記目的を達成するために、本発明によれば、本体容器のケース内部に固定／可動接触子の遮断部を包囲して消弧室ユニットが配置され、かつ該消弧室ユニットの前面壁に開口したアークガス排気口を覆って消弧室ユニットの前面に弁板構造になる防護板を布設してその取付基部の側縁に形成した係合片を本体容器のケースに係合支持したものにおいて、
前記防護板の取付基部側に長手方向に延在する延長部を設け、該延長部を本体容器のケース内に配置した固定接触子に係合した上で、さらに前記延長部を本体容器のケース内壁面と該ケース内壁面に沿って対峙延在する固定接触子との間に挟み込んで挟持固定するものとし（請求項１）、その具体的態様として防護板の延長部にはその幅方向にスリット状の係合溝を切欠き形成し、該係合溝に固定接触子を差し込んで防護板の延長部を固定接触子に掛け止め支持する（請求項２）。
【発明の効果】
【００１４】
上記の防護板取付構造によれば、防護板はその延長部に形成した係合溝を介して固定接触子に掛け止めされ、さらに延長部の先端側を本体容器のケース内壁面と固定接触子との間に挟み込んで挟持固定したので、大電流の遮断時に消弧室内に生じたアークガスのガス圧を受けて防護板の弁板部が外側に大きく湾曲しても、その延長部と固定接触子との掛け合いが外れるおそれがなく、防護板の不測な脱落を確実に防止できる。
【００１５】
そのほか、回路遮断器の組立工程では、その作業手順として防護板の延長部を固定接触子に引っ掛けてから、次の工程で消弧室ユニットと一緒に本体容器のケース内部に組み込むようにしたので、防護板の付け忘れを未然に防ぐことができる。
【図面の簡単な説明】
【００１６】
【図１】本発明の実施例による消弧装置の構成図であって、（ａ）は消弧室ユニットの前面に配した防護板の取付構造を示す回路遮断器の要部断面図、（ｂ）は防護板の外形斜視図である。
【図２】図１と対比して表した防護板の従来の取付構造図であって、（ａ）は回路遮断器の要部断面図、（ｂ）は防護板の外形斜視図である。
【発明を実施するための形態】
【００１７】
以下、本発明の実施の形態を図１（ａ），（ｂ）に示す実施例に基づいて説明する。なお、実施例の図中で図２（ａ），（ｂ）に対応する部材には同じ符号を付してその説明は省略する。
【００１８】
すなわち、図示実施例の消弧装置では、消弧室ユニット５の前面壁に開口したアークガス排気口５ｂに対向して消弧室ユニット５のフレーム前面に布設した防護板６は、図１（ｂ）の外形図で示すように弁板部６ａの下端（左右両側縁に係合片６ｂを設けた取付基部側）からさらに長手方向に延在する延長部６ｃを設け、かつこの延長部６ｃの板面にはその幅方向に延在するスリット状の係合溝６ｄが切欠き形成されている。
【００１９】
そして、この防護板６の弁板部６ａを消弧室ユニット５のアークガス排気口５ｂに臨ませて消弧室ユニット５のフレーム前面に布設して回路遮断器の本体容器１に組み込んだ図１（ａ）の組立状態では、防護板６の弁板部６ａの左右両側に張り出し形成した係合片６ｂが、図２の従来構造と同様に本体容器１のケース１ａに形成したスリット状の溝に差し込み保持されている。一方、防護板６に設けた前記延長部６ｃはその基部が消弧室の内側に向けＬ字状に折り込んで端子板３の後端部を覆うとともに、延長部６の板面に切欠き形成したスリット状の係合溝６ｄが固定接触子２の上端部２ｂに差し込んで掛け止めされ、さらに延長部６ｃの先端側が本体容器１のケース１ａの内壁面とこれに対峙する固定接触子２の立ち下がり部２ｃとの間に挟み込んで挟持固定されている。
【００２０】
なお、この防護板６の組み付け作業手順は次記のようにして行う。すなわち、本体容器１のケース１ａに固定接触子２，端子板３、および消弧室ユニット５を組み込む前の工程で、防護板６の延長部６ｃに形成した係合溝６ｄを前記のように固定接触子２の上端部２ｂに側方から差し込んで掛け止めしておく。次に固定接触子２と消弧室ユニット５を一体に組合せた上で防護板６と一緒にケース１ａに上方からケース内底部の所定位置に組み込んで防護板６の延長部６ｃの先端側をケース１ａの内壁面と固定接触子２との間に挟んで挟持する。この状態で防護板６の弁板部６ａの左右側縁に形成した係合片６ｂをケース１ａに形成したスリット状の溝に嵌め込んで防護板６が消弧室ユニット５のアークガス排気口５ｂを覆うように保持する。
【００２１】
次いで、可動接触子４、およびその開閉機構などの各部品をケース１ａに組み込んだ後にケース１ａにカバー１ｂを被せ、この状態で防護板６の上端をカバー１ｂに形成した係合突起に引っ掛けて所定の位置に保持する。
【００２２】
上記の説明で判るように、図示実施例の防護板の取付構造によれば、防護板６の延長部６ｃに形成した係合溝６ｄを固定接触子２に掛け止めし、さらに延長部６ｃの先端側を本体容器１のケース内壁面と固定接触子２との間に挟み込んで挟持固定したので、大電流の遮断時に消弧室内に生じたアークガスのガス圧を受けて防護板６の弁板部６ａが外側に大きく湾曲しても、その延長部６ｃの係合支持部が外れて防護板６が本体容器１から外方に脱落するおそれがなく、防護板６を安全に保持できる。
【００２３】
また、回路遮断器の組立工程では、その作業手順として防護板６の延長部６ｃを固定接触子２に引っ掛けてから消弧室ユニット５と一緒に本体容器１のケース内部に組み込むようにしたので、組立作業員は防護板６の装着状態を消弧室ユニットの組立状態で目視確認してその付け忘れミスを防ぐことができる。
【００２４】
そのほか、図示実施例のように、端子板３を固定接触子２の上端部に接合した構造であっても、絶縁材の防護板６の延長部６ｃが端子板３の後端部を覆っているので、大電流の遮断時に消弧室内に発生したアークが端子板３に吹きつけられても内部短絡の発生を防止して信頼性の高い遮断性能を確保できる。
【符号の説明】
【００２５】
１    本体容器
１ａ  ケース
１ｂ  カバー
２    固定接触子
３    端子板
４    可動接触子
５    消弧室ユニット
５ａ  消弧グリッド
５ｂ  アークガス排気口
６    防護板
６ａ  弁板部
６ｂ  係合片
６ｃ    延長部
６ｄ  係合溝
【図１】
2014107093.tif 000003
【図２】
2014107093.tif 000004